(57)【要約】【課題】インターネットキーを押下するだけで、所定ＬＡＮ内で提供されるＷＥＢサイトにアクセスでき、また、アクセスするＷＥＢサイトを任意に設定することが可能なインターネット接続ＴＶシステムを提供する。【解決手段】ＷＥＢサイト情報を蓄積するＷＥＢサーバーと、インターネットキーを有するリモコンによって制御可能なインターネット接続ＴＶからなるインターネット接続ＴＶシステムであって、インターネット接続ＴＶは、リモコン信号を受信するリモコン信号入力手段と、リモコン信号を解析する制御手段と、ＷＥＢサーバーのＵＲＬ情報を記憶するＵＲＬ設定手段と、ＷＥＢサーバーにアクセスしＷＥＢサイト情報を取得するＷＥＢブラウザ処理手段とを備え、制御手段は、インターネットキーが押下された場合はＷＥＢブラウザ処理手段にＷＥＢサイト情報を取得させ、ＵＲＬ情報が入力された場合は入力されたＵＲＬ情報をＵＲＬ設定手段に記憶させる。【選択図】図１
2008288822.tif 000002
【特許請求の範囲】
【請求項１】
ＷＥＢサイト情報を蓄積するＷＥＢサーバーと、インターネットに接続するための専用キーを有するリモコンによって制御可能なインターネット接続ＴＶから構成されるインターネット接続ＴＶシステムであって、
前記インターネット接続ＴＶは、
前記リモコンからのリモコン信号を受信するリモコン信号入力手段と、
受信した前記リモコン信号を解析する制御手段と、
前記ＷＥＢサーバーのＵＲＬ情報を記憶するＵＲＬ設定手段と、
前記ＵＲＬ情報に基づいて前記ＷＥＢサーバーにアクセスし、前記ＷＥＢサイト情報を取得するＷＥＢブラウザ処理手段とを備え、
前記制御手段は、前記専用キーが押下された場合は前記ＷＥＢブラウザ処理手段に前記ＷＥＢサイト情報を取得させ、前記リモコンを用いてＵＲＬ情報が入力された場合は前記入力されたＵＲＬ情報を前記ＵＲＬ設定手段に記憶させることを特徴とするインターネット接続ＴＶシステム。
【請求項２】
前記インターネット接続ＴＶは、外部記憶媒体を接続するカードＩＦ手段を更に備え、
前記制御手段は、前記外部記憶媒体に記憶されたＵＲＬ情報を前記ＵＲＬ設定手段に記憶させることを特徴とする請求項１記載のインターネット接続ＴＶシステム。
【請求項３】
前記インターネット接続ＴＶシステムは、前記ＷＥＢサーバーのＵＲＬ情報を蓄積するＤＨＣＰ／ＤＮＳサーバーを更に備え、
前記インターネット接続ＴＶの前記制御手段は、前記専用キーが初めて押下された場合に前記ＤＨＣＰ／ＤＮＳサーバーにアクセスし、前記ＵＲＬ情報を取得して前記ＵＲＬ設定手段に記憶させることを特徴とする請求項１記載のインターネット接続ＴＶシステム。
【発明の詳細な説明】
【技術分野】
【０００１】
本発明は、インターネット接続ＴＶシステムに関し、更に詳しくはＬＡＮ環境で利用可能なインターネット接続ＴＶシステムに関する。
【背景技術】
【０００２】
近年、インターネットの普及により、病院、ホテル等の施設において医療情報、サービス情報等の提供を目的としたＷＥＢサイトの構築が盛んに行われている。そのため、ユーザは、インターネットに接続可能な情報提供装置を操作して、病院、ホテル等のＷＥＢサイトにアクセスし、所望の情報を閲覧することができる（例えば、特許文献１参照）。
【特許文献１】特開２００１−３２５３７０号公報
【発明の開示】
【発明が解決しようとする課題】
【０００３】
しかしながら、上記特許文献１記載の情報提供装置では、病院独自のコンテンツ（給食情報、薬情報）をＷＥＢサイトで閲覧することはできるが、ＴＶ映像とともに表示部に合成表示されたアイコンをリモコン操作によって選択／決定して初めてＷＥＢサイトにアクセスできる構成であるため手間がかかるという問題があった。
【０００４】
また画面サイズの小さいモニタ等の表示部で全ての情報を合成表示した場合、アイコンのサイズ自体も小さくなり確認しづらいという問題があった。
【課題を解決するための手段】
【０００５】
本発明の請求項１に係るインターネット接続ＴＶシステムは、ＷＥＢサイト情報を蓄積するＷＥＢサーバーと、インターネットに接続するための専用キーを有するリモコンによって制御可能なインターネット接続ＴＶから構成されるインターネット接続ＴＶシステムであって、インターネット接続ＴＶは、リモコンからのリモコン信号を受信するリモコン信号入力手段と、受信したリモコン信号を解析する制御手段と、ＷＥＢサーバーのＵＲＬ情報を記憶するＵＲＬ設定手段と、ＵＲＬ情報に基づいてＷＥＢサーバーにアクセスし、ＷＥＢサイト情報を取得するＷＥＢブラウザ処理手段とを備え、制御手段は、専用キーが押下された場合はＷＥＢブラウザ処理手段にＷＥＢサイト情報を取得させ、リモコンを用いてＵＲＬ情報が入力された場合は入力されたＵＲＬ情報をＵＲＬ設定手段に記憶させることを特徴とする。
【０００６】
また、本発明の請求項２に係るインターネット接続ＴＶシステムは、請求項１記載のインターネット接続ＴＶシステムの構成において、インターネット接続ＴＶは、外部記憶媒体を接続するカードＩＦ手段を更に備え、制御手段は、外部記憶媒体に記憶されたＵＲＬ情報をＵＲＬ設定手段に記憶させることを特徴とする。
【０００７】
また、本発明の請求項３に係るインターネット接続ＴＶシステムは、請求項１記載のインターネット接続ＴＶシステムの構成において、ＷＥＢサーバーのＵＲＬ情報を蓄積するＤＨＣＰ／ＤＮＳサーバーを更に備え、インターネット接続ＴＶの制御手段は、専用キーが初めて押下された場合にＤＨＣＰ／ＤＮＳサーバーにアクセスし、ＵＲＬ情報を取得してＵＲＬ設定手段に記憶させることを特徴とする。
【発明の効果】
【０００８】
本発明のインターネット接続ＴＶシステムによれば、インターネット接続ＴＶに付属のリモコンのインターネットキーを押下するだけで、インターネット接続ＴＶが接続されたＬＡＮ内で提供されるＷＥＢサイトに簡単にアクセスすることができる。また、インターネットキーの押下によりアクセスするＷＥＢサイトを任意に設定することができるため、様々なＬＡＮ環境に柔軟に対応することができる。更に、リモコンのインターネットキーの押下でアクセスするＷＥＢサイトのＵＲＬを自動で設定することもでき、利便性の向上が図れる。
【発明を実施するための最良の形態】
【０００９】
以下、本発明を実施するための最良の形態について、図面を参照しながら説明する。
【００１０】
（実施の形態１）
図１は、本発明のインターネット接続ＴＶシステムの全体構成を示す図である。インターネット接続ＴＶシステムは、インターネット接続ＴＶ１００と、ＨＵＢ１０１と、ルータ１０２と、ＷＥＢサーバー１０３と、ＤＢサーバー１０４と、病院サーバー１０５と、ＤＨＣＰ／ＤＮＳサーバー１０６及びＰＣ１０７から構成される。
【００１１】
インターネット接続ＴＶ１００は、各病室に設置され夫々がＬＡＮケーブルによってＬＡＮ接続されている。インターネット接続ＴＶ１００の構成及び内部処理については、後ほど図２を用いて後述する。
【００１２】
ＨＵＢ１０１は、各病室に設置された複数のインターネット接続ＴＶ１００を物理的に接続し、ＬＡＮに接続可能な台数を増やし、かつ接続された複数のインターネット接続ＴＶ１００間の相互データ通信を可能にする。ルータ１０２は、インターネット接続ＴＶシステムのＬＡＮ上で送受信されるデータを、インターネットを介し別のネットワークに中継する機能を有する。なお、本発明のルータ１０２は、ファイアーウォール機能を有する。
【００１３】
ＷＥＢサーバー１０３は、インターネット接続ＴＶ１００で表示するＷＥＢサイトである病院ポータルサイトで使用されるＨＴＭＬファイルや画像、音声、動画等のデータを蓄積し、インターネット接続ＴＶ１００からのブラウザ表示要求に応じて、対応するデータをインターネット接続ＴＶ１００に送信する。ＤＢサーバー１０４は、食事メニュー、入院生活などの案内等の病院独自のコンテンツを蓄積する。
【００１４】
病院サーバー１０５は、インターネットを介し別のネットワークに対して公開しているＷＥＢサイトで使用されるテキストや画像等のデータを蓄積する。ＤＨＣＰ／ＤＮＳサーバー１０６は、インターネット接続ＴＶシステムに接続された各機器にＩＰアドレスを割り当てると共に、割り当てたＩＰアドレスをホスト名、ドメイン名と対応付けて一元管理する。
【００１５】
ＰＣ１０７は、ＷＥＢサーバー１０３及びＤＢサーバー１０４に蓄積するデータの追加／削除／更新を行う。
【００１６】
次に、インターネット接続ＴＶ１００の構成及び内部処理について図２を用いて説明する。インターネット接続ＴＶ１００は、リモコン２００と、アンテナ２０１と、デジタル放送受信部２０２と、画像処理部２０３と、表示部２０４と、音声処理部２０５と、スピーカ２０６と、記憶部２０７と、ネットワーク情報記憶部２０８と、ＵＲＬ設定部２０９と、ＷＥＢブラウザ処理部２１０と、制御部２１１と、リモコン信号入力部２１２と、カードＩＦ部２１３及び通信部２１４から構成される。
【００１７】
リモコン２００は、少なくともインターネットに接続するためのインターネットキーと、メニュー画面を表示するためのメニューキーと、数字や文字入力を行うための入力キーと、フォーカスを上下左右に移動させるための上下左右キーと、フォーカスで選択された情報を決定するための決定キーを有する。ユーザはインターネットキーを押下することによりブラウザ表示要求を送信できる。
【００１８】
デジタル放送受信部２０２は、制御部２１１からの選局要求に基づいて所望のデジタルＴＶ放送信号を受信し、受信したデジタルＴＶ放送信号に高周波処理及び復調処理を行いトランスポートストリームに変換し、変換したトランスポートストリームをＭＰＥＧデータであるデジタル映像信号及びデジタル音声信号と番組情報等の付加情報に分離する。そして、デジタル映像信号をデコードして映像信号として画像処理部２０３へ出力し、デジタル音声信号をデコードして音声信号として音声処理部２０５へ出力する。番組情報等の付加情報は制御部２１１へ出力する。画像処理部２０３は、デジタル放送受信部２０２からの映像信号又はＷＥＢブラウザ処理部２１０からの画像情報に所定処理を行い表示部２０４へ出力する。表示部２０４は、画像処理部２０３からの映像信号又は画像情報を画面表示する。音声処理部２０５は、デジタル放送受信部２０２からの音声信号またはＷＥＢブラウザ処理部２１０からの音声信号に所定処理を行いスピーカ２０６へ出力する。スピーカ２０６は、音声処理部２０５からの音声信号を出力する。記憶部２０７は、制御部２１１からの付加情報を記憶する。
【００１９】
ネットワーク情報記憶部２０８は、インターネット接続ＴＶ１００がネットワークに接続するための情報を記憶しており、少なくともインターネット接続ＴＶ１００のＩＰアドレス、サブネットマスク、デフォルトゲートウェイアドレス、ＤＨＣＰ／ＤＮＳサーバー１０６のＩＰアドレスを記憶する。
【００２０】
ＵＲＬ設定部２０９は、リモコン２００のインターネットキーを押下したときに表示されるＷＥＢサイトのＵＲＬを記憶する。ここで、ＷＥＢサイトのＵＲＬは、ＷＥＢサーバー１０３に蓄積された病院ポータルサイトを指定したものである。
【００２１】
ＷＥＢブラウザ処理部２１０は、制御部２１１からブラウザ表示要求があった場合に、ＵＲＬ設定部２０９に記憶されたＵＲＬを取得し、ＨＴＴＰプロトコルによって通信部２１４を介してＷＥＢサーバー１０３からＨＴＭＬファイルや画像、音声、動画等のデータを取得し、画像処理部２０３及び／又は音声処理部２０５へ出力する。
【００２２】
制御部２１１は、リモコン信号入力部２１２からのリモコン信号を解読し、リモコン信号が所望チャンネルの選局要求であった場合はデジタル放送受信部２０２へ選局要求を行い、リモコン信号がブラウザ表示要求であった場合はＷＥＢブラウザ処理部２１０へブラウザ表示要求を行う。更に、カードＩＦ部２１３からＵＲＬ情報が入力された場合は、ＵＲＬ設定部２０９にＵＲＬ情報を記憶させる。
【００２３】
リモコン信号入力部２１２は、リモコン２００からのリモコン信号を受信し制御部２１１へ出力する。
【００２４】
カードＩＦ部２１３は、ＳＤカード等の外部記憶媒体（図示せず）を接続し、接続された外部記憶媒体に記憶されたＵＲＬ情報を制御部２１１へ出力する。
【００２５】
通信部２１４は、Ｅｔｈｅｒｎｅｔ（登録商標）インタフェースによってＥｔｈｅｒｎｅｔ（登録商標）に接続され、ＴＣＰ／ＩＰプロトコルによってＴＣＰ／ＩＰ通信を行う。
【００２６】
ここで、図３を用いて、インターネット接続ＴＶ１００における病院ポータルサイトの画面表示例を説明する。インターネット接続ＴＶ１００では、ユーザはリモコン２００のインターネットキー３０１を押下することによって、病院ポータルサイト３０２を表示させることができる。そして、リモコン２００の上下左右キー及び決定キー３０３を操作することにより、病院ポータルサイト３０２に表示されたカーソル３０４を移動させ、所望の情報を確認することができる。更に、病院ポータルサイト３０２には、表示期限付きのお知らせ情報３０５も併せて表示可能である。お知らせ情報３０５はＰＣ１０７からの情報入力によって表示される。
【００２７】
次に、ＵＲＬ設定部２０９にＵＲＬを登録する処理について図４を用いて説明する。ユーザはリモコン２００のメニューキーを押下してメニュー画面４０１を表示させ、リモコン２００の上下左右キー及び決定キー３０３の操作により、初期設定画面４０２、設置設定画面４０３を経てブラウザ設定画面４０４を表示させる。そして、ホームページアドレス入力欄４０５をフォーカスし、入力キー操作、又は画面上に表示された画面キーボード上での上下左右キー及び決定キー３０３操作により、ＷＥＢサーバー１０３のＵＲＬを直接入力する。その結果、入力されたＵＲＬ情報はＵＲＬ設定部２０９に記憶される。
【００２８】
なお、本発明の実施の形態１では、ＵＲＬ設定部２０９に登録するＵＲＬ情報を画面上での直接入力により指定したが、外部記憶媒体（図示せず）をカードＩＦ部２１３に挿入することにより、外部記憶媒体（図示せず）に記憶されたＵＲＬ情報を自動でＵＲＬ設定部２０９に記憶させてもよい。
【００２９】
本発明の実施の形態１によれば、リモコン２００のインターネットキー３０１を押下するだけで、簡単に病院ポータルサイト３０２にアクセスすることができる。
【００３０】
更に、インターネットキー３０１の押下によりアクセスするポータルサイトを任意に設定することができるため、様々なＬＡＮ環境に柔軟に対応することができる。
【００３１】
（実施の形態２）
本発明の実施の形態２に係るインターネット接続ＴＶシステムでは、ＵＲＬ設定部２０９にＵＲＬを登録する際、ＤＨＣＰ／ＤＮＳサーバー１０６を利用すること以外はすべて実施の形態１と同じ形態で実現される。
【００３２】
図５は、本発明の実施の形態２に係るインターネット接続ＴＶシステムの構成を示す図である。インターネット接続ＴＶ１００は、リモコン２００と、アンテナ２０１と、デジタル放送受信部２０２と、画像処理部２０３と、表示部２０４と、音声処理部２０５と、スピーカ２０６と、記憶部２０７と、ネットワーク情報記憶部２０８と、ＵＲＬ設定部５０２と、ＷＥＢブラウザ処理部２１０と、制御部５０１と、リモコン信号入力部２１２と、カードＩＦ部２１３及び通信部２１４から構成される。ここで図５において図２と同等の符号を付したものは図２と同等の機能を有するため説明を省略する。
【００３３】
制御部５０１は、リモコン信号入力部２１２からＵＲＬ取得要求があった場合に、ＵＲＬ処理部５０２に対しＵＲＬ取得要求を行う。ここでＵＲＬ取得要求は、最初のインターネットキー３０１押下で行うようにしてもよいし、メニュー項目として選択／実行できるようにしてもよいし、リモコン２００に専用キーを設けてキー押下で実行するようにしてもよい。
【００３４】
ＵＲＬ処理部５０２は、制御部５０１からのＵＲＬ取得要求に基づいて、ネットワーク情報記憶部２０８に記憶されたＤＨＣＰ／ＤＮＳサーバー１０６のＩＰアドレスに対し、ＵＲＬ取得処理を実行する。
【００３５】
ここで、図６を用いてＵＲＬ取得処理について説明する。ＵＲＬ処理部５０２は、ＤＨＣＰ／ＤＮＳサーバー１０６に対してＵＲＬ取得要求を送信する（ステップＳ６０１）。ＤＨＣＰ／ＤＮＳサーバー１０６はＷＥＢサーバー１０３のＩＰアドレスを特定し（ステップＳ６０２で「ＹＥＳ」）、更に特定されたＩＰアドレスから対応するドメイン名、ホスト名を特定する（ステップＳ６０３で「ＹＥＳ」）。ＤＨＣＰ／ＤＮＳサーバー１０６は、特定されたドメイン名及びホスト名をＵＲＬ情報としてインターネット接続ＴＶ１００へ送信し、インターネット接続ＴＶ１００の制御部５０１は、通信部２１４を介して取得したＵＲＬ情報をＵＲＬ設定部５０２へ記憶させる（ステップＳ６０４）。一方、ＤＨＣＰ／ＤＮＳサーバー１０６において、ＷＥＢサーバー１０３のＩＰアドレス、ドメイン名またはホスト名が特定できない場合は（ステップＳ６０２で「ＮＯ」、ステップＳ６０３で「ＮＯ」）、エラー通知を送信する等の所定のエラー処理を実行してＵＲＬ取得処理を終了させる（ステップＳ６０５）。
【００３６】
本発明の実施の形態２によれば、リモコン２００のインターネットキー３０１の押下でアクセスする病院ポータルサイト３０２のＵＲＬを自動で設定することができ、利便性の向上が図れる。
【産業上の利用可能性】
【００３７】
本発明のインターネット接続ＴＶシステムによれば、リモコンのインターネットキーを１回押下するだけで所定のＬＡＮ環境で提供されるＷＥＢサイトに簡単にアクセスすることができ、更にアクセスするＷＥＢサイトを任意に設定することができるため、病院、ホテル等の施設で有用である。
【図面の簡単な説明】
【００３８】
【図１】本発明のインターネット接続ＴＶシステムの全体構成を示す図
【図２】本発明の実施の形態１に係るインターネット接続ＴＶの構成を示す図
【図３】本発明の病院ポータルサイトの画面表示例を示す図
【図４】本発明の実施の形態１に係るＵＲＬ登録処理を示す図
【図５】本発明の実施の形態２に係るインターネット接続ＴＶの構成を示す図
【図６】本発明の実施の形態２に係るＵＲＬ取得処理を示すフローチャート
【符号の説明】
【００３９】
１００  インターネット接続ＴＶ
１０１  ＨＵＢ
１０２  ルータ
１０３  ＷＥＢサーバー
１０４  ＤＢサーバー
１０５  病院サーバー
１０６  ＤＨＣＰ／ＤＮＳサーバー
１０７  ＰＣ
２００  リモコン
２０１  アンテナ
２０２  デジタル放送受信部
２０３  画像処理部
２０４  表示部
２０５  音声処理部
２０６  スピーカ
２０７  記憶部
２０８  ネットワーク情報記憶部
２０９、５０２  ＵＲＬ設定部
２１０  ＷＥＢブラウザ処理部
２１１、５０１  制御部
２１２  リモコン信号入力部
２１３  カードＩＦ部
２１４  通信部
３０１  インターネットキー
３０２  病院ポータルサイト
３０３  上下左右キー及び決定キー
３０４  フォーカス
３０５  お知らせ情報
４０１  メニュー画面
４０２  初期設定画面
４０３  設置設定画面
４０４  ブラウザ設定画面
４０５  ホームページアドレス入力欄
【図１】
2008288822.tif 000003
【図２】
2008288822.tif 000004
【図３】
2008288822.tif 000005
【図４】
2008288822.tif 000006
【図５】
2008288822.tif 000007
【図６】
2008288822.tif 000008